(57)【特許請求の範囲】
【請求項１】
端子金具が挿入されるハウジングと、
押込み操作部からアーム部を延出させた形態であって、前記ハウジングに対し、前記アーム部を前記端子金具の挿入方向と交差する方向に挿入するようにして組み付けられるリテーナとを備え、
前記リテーナは、前記端子金具と非干渉となる仮係止位置と、前記仮係止位置よりも深く押し込まれた位置であって、挿入済みの前記端子金具に係止することでその端子金具を抜止めする本係止位置とに選択的に保持可能とされているコネクタにおいて、
前記ハウジングの外面における前記アーム部の挿入口と反対側の位置には、前記ハウジング内における前記アーム部の収容空間に連通する治具挿入孔が開口され、
前記ハウジング内には、前記治具挿入孔に差し込まれた治具で前記アーム部を押されて移動する前記リテーナが前記仮係止位置に到達したときに、前記治具を当接させることでその治具のそれ以上の差込み動作を規制する規制部が設けられていることを特徴とするコネクタ。
【請求項２】
前記ハウジングの外面には、前記治具が前記リテーナを前記仮係止位置まで移動させたところで、前記治具を当接させることにより、前記治具のそれ以上の差込み動作を規制する規制面が形成されていることを特徴とする請求項１記載のコネクタ。
【請求項３】
前記アーム部が板状をなしていて、前記アーム部の延出端面に前記治具が当接されるようになっており、
前記規制部が、前記アーム部に対してその板面と直角な方向に並ぶように配置されており、
前記ハウジングの外面における前記治具挿入孔の開口形状が、前記アーム部の延出端面と対応するスリット状の第１孔部と、前記第１孔部に対して略直角に連なることで前記規制部と対応する第２孔部とから構成された略Ｔ字形をなしていることを特徴とする請求項１又は請求項２記載のコネクタ。
【請求項４】
前記リテーナが仮係止位置にある状態では、前記アーム部における前記治具の押圧面と、前記規制部における前記治具の当接面とは、前記治具の差込み方向において互いに同じ位置であって面一状に並ぶ形態であることを特徴とする請求項３記載のコネクタ。
【請求項５】
前記端子金具の挿入空間を構成する壁部の一部が、前記アーム部の前記挿入口において前記ハウジングの外面に開口されており、
前記リテーナが本係止位置にある状態では、前記挿入空間を構成する壁部における前記ハウジングの外面への開口部が、前記押込み操作部によって覆い隠される構成としたことを特徴とする請求項１ないし請求項４のいずれかに記載のコネクタ。
【請求項６】
前記リテーナは、前記押込み操作部から第１と第２の２片の前記アーム部を延出させた形態であり、
前記第１アーム部は、前記ハウジングに係止することで前記リテーナを本係止位置に保持する係止部を有し、
前記第２アーム部は、前記端子金具に対して抜止め状態に係止する抜止部を有しており、
前記治具挿入孔が、前記第１アーム部と対応し且つ前記第２アーム部と非対応となるように１カ所だけに設けられていることを特徴とする請求項１ないし請求項５のいずれかに記載のコネクタ。
【発明の詳細な説明】
【技術分野】
【０００１】
本発明は、リテーナを備えたコネクタに関するものである。
【背景技術】
【０００２】
特許文献１には、押込み操作部からアーム部を延出させた形態のリテーナをハウジング内に取り付け、ハウジング内に挿入された端子金具をアーム部によって抜止めするコネクタについて記載されている。端子金具をハウジングに挿入する際には、リテーナをハウジングに対して仮係止位置に保持することにより、端子金具がアーム部と干渉しないようにしておく。そして、端子金具がハウジングに挿入された後、仮係止位置のリテーナを、仮係止位置よりも奥方の本係止位置へ移動させると、アーム部が端子金具に係止し、その係止作用によって端子金具が抜止めされる。
【特許文献１】特開２００３−２７２７５０号公報
【発明の開示】
【発明が解決しようとする課題】
【０００３】
この種のコネクタでは、端子金具をハウジングから抜き取る際に、本係止位置にあるリテーナを仮係止位置まで移動させるのであるが、リテーナを仮係止位置に移動させる手段として、ハウジングの外面におけるリテーナの取付孔とは反対側に、治具挿入孔を形成し、この治具挿入孔に差し込んだ治具をアーム部に当てて、リテーナを仮係止位置に押し戻す構造が考えられる。  
しかしながら、この押し戻し構造の場合、治具の差込みが深過ぎたときに、ハウジングの内部でアーム部が異常に変形することが懸念される。  
本発明は上記のような事情に基づいて完成されたものであって、本係止位置にあるリテーナを、押し戻し力の付与によって仮係止位置へ戻す場合において、リテーナが異常変形するのを防止することを目的とする。
【課題を解決するための手段】
【０００４】
上記の目的を達成するための手段として、請求項１の発明は、端子金具が挿入されるハウジングと、押込み操作部からアーム部を延出させた形態であって、前記ハウジングに対し、前記アーム部を前記端子金具の挿入方向と交差する方向に挿入するようにして組み付けられるリテーナとを備え、前記リテーナは、前記端子金具と非干渉となる仮係止位置と、前記仮係止位置よりも深く押し込まれた位置であって、挿入済みの前記端子金具に係止することでその端子金具を抜止めする本係止位置とに選択的に保持可能とされているコネクタにおいて、前記ハウジングの外面における前記アーム部の挿入口と反対側の位置には、前記ハウジング内における前記アーム部の収容空間に連通する治具挿入孔が開口され、前記ハウジング内には、前記治具挿入孔に差し込まれた治具で前記アーム部を押されて移動する前記リテーナが前記仮係止位置に到達したときに、前記治具を当接させることでその治具のそれ以上の差込み動作を規制する規制部が設けられているところに特徴を有する。
【０００５】
請求項２の発明は、請求項１に記載のものにおいて、前記ハウジングの外面には、前記治具が前記リテーナを仮係止位置まで移動させたところで、前記治具を当接させることにより、前記治具のそれ以上の差込み動作を規制する規制面が形成されているところに特徴を有する。
【０００６】
請求項３の発明は、請求項１または請求項２に記載のものにおいて、前記アーム部が板状をなしていて、前記アーム部の延出端面に前記治具が当接されるようになっており、前記規制部が、前記アーム部に対してその板面と直角な方向に並ぶように配置されており、前記ハウジングの外面における前記治具挿入孔の開口形状が、前記アーム部の延出端面と対応するスリット状の第１孔部と、前記第１孔部に対して略直角に連なることで前記規制部と対応する第２孔部とから構成された略Ｔ字形をなしているところに特徴を有する。
【０００７】
請求項４の発明は、請求項３記載のものにおいて、前記リテーナが仮係止位置にある状態では、前記アーム部における前記治具の押圧面と、前記規制部における治具の当接面とは、前記治具の差込み方向において互いに同じ位置であって面一状に並ぶ形態であるところに特徴を有する。
【０００８】
請求項５の発明は、請求項１ないし請求項４のいずれかに記載のものにおいて、前記端子金具の挿入空間を構成する壁部の一部が、前記アーム部の前記挿入口において前記ハウジングの外面に開口されており、前記リテーナが本係止位置にある状態では、前記挿入空間を構成する壁部における前記ハウジングの外面への開口部が、前記押込み操作部によって覆い隠される構成としたところに特徴を有する。
【０００９】
請求項６の発明は、請求項１ないし請求項５のいずれかに記載のものにおいて、前記リテーナは、前記押込み操作部から第１と第２の２片の前記アーム部を延出させた形態であり、前記第１アーム部は、前記ハウジングに係止することで前記リテーナを本係止位置に保持する係止部を有し、前記第２アーム部は、前記端子金具に対して抜止め状態に係止する抜止部を有しており、前記治具挿入孔が、前記第１アーム部と対応し且つ前記第２アーム部と非対応となるように１カ所だけに設けられているところに特徴を有する。
【発明の効果】
【００１０】
＜請求項１の発明＞
治具挿入口からハウジング内に差し込んだ治具でアーム部を押し、本係止位置のリテーナを仮係止位置側へ戻すと、リテーナが仮係止位置に到達したところで、治具が、規制部に当接することによってそれ以上の差込み動作を規制される。これにより、治具が過剰に差し込まれることに起因して、リテーナが異常変形することが防止される。  
＜請求項２の発明＞
治具は、ハウジング内の規制部とハウジングの外面の規制面の２カ所によって確実に、差込み動作を規制される。  
＜請求項３の発明＞
治具挿入孔から略Ｔ字形断面の治具を挿入すると、治具の一部がアーム部の延出端面に当接してリテーナを押す。そして、リテーナが仮係止位置に達すると、治具の別の部分が規制部に当接することにより、治具のそれ以上の差込み動作が規制される。
【００１１】
＜請求項４の発明＞
リテーナが仮係止位置にある状態で、アーム部における治具の押圧面が、治具の差込み方向において、規制部における治具の当接面よりも前方に位置する場合は、治具が差し込まれている途中で、治具におけるアーム部との当接部が規制部に引っ掛かり、リテーナが仮係止位置に到達する前に治具の差込み動作が規制されてしまう虞がある。  
逆に、アーム部における治具の押圧面が規制部における治具の当接面よりも後方に位置する場合は、治具における規制部との当接部がアーム部を押してしまい、その結果、治具の差込み深さは正常であっても、リテーナが仮係止位置を超えて過剰に押し動かされてしまう虞がある。  
その点、本願発明では、アーム部における治具の押圧面と、規制部における治具の当接面を、治具の差込み方向において互いに同じ位置となるように設定しているので、治具における規制部との当接部がアーム部に当接したとしても、リテーナを仮係止位置まで確実に移動させることができるとともに、仮係止位置を超えて過剰にリテーナを移動させる虞もない。
【００１２】
＜請求項５の発明＞
押込み操作部が、端子金具の挿入空間を構成する壁部の一部を兼ねるようにしたので、この壁部の厚さ分だけハウジングを小型化することが可能である。  
＜請求項６の発明＞
リテーナにアーム部が２片形成されていても、治具挿入孔は１つだけとしたので、治具を治具挿入孔に差し込んでリテーナを仮係止位置へ移動させる作業が簡単である。また、治具は、リテーナを本係止位置に保持するための係止部を有する第１アーム部のみを押すので、治具からの押圧力を受ける位置から係止部までの距離が比較的短い。したがって、治具からの押圧力を受けたときに、リテーナに異常な変形を生じさせることなく、係止部をハウジングから解離させることができる。
【発明を実施するための最良の形態】
【００１３】
＜実施形態１＞
以下、本発明を具体化した実施形態１を図１乃至図１１を参照して説明する。本実施形態のコネクタは、合成樹脂製のハウジング１０と、ハウジング１０内に挿入される複数の端子金具２６と、ハウジング１０に組み付けられる合成樹脂製のリテーナ３０とを備えて構成されている。  
ハウジング１０は、ブロック状の端子保持部１１と、この端子保持部１１を包囲する略角筒状のフード部１２とを一体形成したものであり、フード部１２は、その前後方向における略中央位置において端子保持部１１の外周に連なっている。端子保持部１１内には、前後方向に貫通する形態の３室のキャビティ１３Ｃ，１３Ｌ，１３Ｒ（本発明の構成要件である挿入空間）が、左右に並列して形成されている。各キャビティ１３Ｃ，１３Ｌ，１３Ｒ内には、後方から端子金具２６が挿入され、図示しない周知の係止手段によって端子金具２６が抜止めされるようになっている。
【００１４】
端子保持部１１には、その下面を浅く溝状に切欠した形態（端子保持部１１の下面に開放された形態）の第１収容空間１４が形成されている。第１収容空間１４は、左右方向（キャビティ１３Ｃ，１３Ｌ，１３Ｒに対する端子金具２６の挿入方向と直角な方向）に延びていて、端子保持部１１の右外側面から左外側面に亘る全領域に亘って形成されている。第１収容空間１４は、その上下方向の寸法（深さ寸法）に対して前後方向の寸法（幅寸法）が大きく、幅広の溝状をなしている。尚、この第１収容空間１４はキャビティ１３Ｃ，１３Ｌ，１３Ｒとは下面壁によって隔絶されている。第１収容空間１４の前後両内壁面には、後述するリテーナ３０を仮係止位置と本係止位置に保持するための一対の係止突起１５が形成されている。
【００１５】
また、端子保持部１１には、その下面に沿って前後方向に延びる３本のリブ１６Ｃ，１６Ｌ，１６Ｒが形成されている。これら３本のリブ１６Ｃ，１６Ｌ，１６Ｒは、第１収容空間１４の下方位置において第１収容空間１４を横切るような形態となっている。最も左に位置するリブ１６Ｌにおける第１収容空間１４と対応する領域は、後述する治具４０を当接させるための規制部１７となっている。この規制部１７は、第１収容空間１４に対して下方、即ちキャビティ１３Ｃ，１３Ｌ，１３Ｒに対する端子金具２６の挿入方向と直角な方向に並ぶように配置されている。この規制部１７は、端子保持部１１の左外側面よりも右方に位置しており、この規制部１７における左側面は、左右方向に対して直角な当接面１８となっている。また、この規制部１７を有するリブ１６Ｌは、左右に並ぶ３つのキャビティ１３Ｃ，１３Ｌ，１３Ｒのうち最も左に位置するキャビティ１３Ｌにおける略右半分領域と対応するような配置及び幅寸法とされている。また、最も右に位置するリブ１６Ｒは、最も右に位置するキャビティ１３Ｒと対応するように（端子保持部１１の右端部に）配置されている。また、中央に位置するリブ１６Ｃは、右側に位置するキャビティ１３Ｒと中央に位置するキャビティ１３Ｃとの中間位置（即ち、左側のリブ１６Ｌよりも右側のリブ１６Ｒに近い位置）に配置されている。
【００１６】
同じく端子保持部１１には、第１収容空間１４の上方において左右方向（第１収容空間１４と平行）に延びる第２収容空間１９が形成されている。第２収容空間１９は、端子保持部１１の右外側面に開口されているが、端子保持部１１の左外側面には開口していない。第２収容空間１９の左右方向と直角な断面形状は、略Ｌ字形をなしており、第２収容空間１９の下端部は、すべてのキャビティ１３Ｃ，１３Ｌ，１３Ｒの天井壁と側壁の上端部とに開口されている。
【００１７】
端子保持部１１における最も右に位置するキャビティ１３Ｒは、その右側壁の一部が端子保持部１１の右外側面に開放されており、この開放部分においては、端子保持部１１の右側壁が略方形に凹んだ形態となっている。この開放部分は前後方向において第１収容空間１４と対応する領域となっており、この開放部分と、この開放部分の下端部（即ち、第１収容空間１４に連通する部分）と、開放部分の上端部（即ち、第２周遊空間と対応する部分）とにより、リテーナ３０を端子保持部１１内に挿入するための挿入口２０が構成されている。
【００１８】
フード部１２を構成する左側壁（ハウジング１０における挿入口２０と反対側の位置）には、治具４０を挿入するための略Ｔ字形をなす治具挿入孔２１が左右に（フード部１２の外面から内面に）貫通するように形成されている。治具挿入孔２１は、第１収容空間１４と対応するスリット状の第１孔部２２と、この第１孔部２２から下方へ延出する第２孔部２３とから構成されている。  
第１孔部２２は、前後方向に細長く、第１孔部２２の下面はリブ１６Ｃ，１６Ｌ，１６Ｒの上面（即ち、端子保持部１１の下面であって、第１収容空間１４の下面である）と同じ高さであるが、第１孔部２２の上面は、第１収容空間１４の上面よりも少し上方の位置に設定されている。また、第１孔部２２の前端及び後端は、夫々、前後方向において第１収容空間１４の前端及び後端とほぼ同じ位置にある。かかる第１孔部２２は、端子保持部１１の外面とフード部１２の内面との間の嵌合空間２４を介して、上記第１収容空間１４と連通している。  
第２孔部２３は、第１孔部２２の前後方向における略中央位置から下方（即ち、第１収容空間１４と規制部１７との並び方向と同じ方向）に延出しており、第２孔部２３の下端は、規制部１７の下面よりも下方に位置している。また、第２孔部２３の開口形状（第１孔部２２よりも下方の開口形状）は、略正方形をなしている。そして、この第２孔部２３は、左右方向において規制部１７の一部と対応するように開口している。さらに、フード部１２の左外側面における治具挿入孔２１よりも上方の領域（詳しくは、第１孔部２２の上縁に沿った領域）は、治具４０を当接させるための規制面２５となっている。この規制面２５は、規制部１７の当接面１８と同じく、左右方向に対して直角な平面となっている。
【００１９】
リテーナ３０は、押込み操作部３１と、押込み操作部３１から片持ち状に延出する上下一対のアーム部３２，３３とを一体に形成したものである。押込み操作部３１は、端子保持部１１の右外側面に開口する挿入口２０に対してガタ付きなく嵌合することで、右側に位置するキャビティ１３Ｒの右側面の開口を塞ぐ略方形の板状をなしている。また、押込み操作部３１の外側面（右側面）は、端子保持部１１の右外側面と同じ曲率に湾曲している。
【００２０】
第１アーム部３２は、押込み操作部３１の下端縁から左方（キャビティ１３Ｃ，１３Ｌ，１３Ｒに対する端子金具２６の挿入方向と直角な方向）へ水平板状に延出した形態であって、その前後両縁部には、一対の係止突部３４（本発明の構成要件である係止部）と、係止突部３４よりも左方に位置する一対の仮係止用突起３５とが形成されている。この第１アーム部３２の延出端面（左端面）は、前後方向に細長い押圧面３６となっている。また、第１アーム部３２の厚さは、第１収容空間１４の上下寸法と同じかそれよりも僅かに小さい寸法とされている。一方、第２アーム部３３は、押込み操作部３１の上端縁から左方（第１アーム部３２と平行）に延出した形態であって、その後縁部には、下方へ延出する３つの抜止部３７が形成されている。
【００２１】
さらに、押込み操作部３１の下端縁部と第１アーム部３２の基端部（右端縁部）とが略直角に連なる屈曲部においては、押込み操作部３１の外面側を突出させた形態の外部補強部３８と、押込み操作部３１の内面から第１アーム部３２の上面に亘って肉厚を増した形態の内部補強部３９とが形成されている。これらの外部補給部と内部補強部３９との補強作用により、第１アーム部３２の基端部と押込み操作部３１の下端部とが、その角度を変化させるように相対変位することが規制されている。
【００２２】
かかるリテーナ３０は、ハウジング１０に対して右方から組み付けられる。このリテーナ３０の組付方向は、キャビティ１３Ｃ，１３Ｌ，１３Ｒに対する端子金具２６の挿入方向と直角な方向である。組付けに際しては、フード部１２の右側壁の窓孔２９を通しながら、第１アーム部３２と第２アーム部３３を先に向けて、夫々、第１収容空間１４と第２収容空間１９に挿入し、押込み操作部３１の右側面（外面）を押すことにより、リテーナ３０を端子保持部１１内に押し込んでいく。そして、リテーナ３０が仮係止位置に達すると、図４に示すように、ハウジング１０側の係止突起１５が、リテーナ３０の係止突部３４と仮係止用突起３５との間に嵌合され、この嵌合作用により、リテーナ３０は左右方向（ハウジング１０に対するリテーナ３０の組付・離脱方向）への相対移動を規制され、もって、リテーナ３０が仮係止位置に保持される。
【００２３】
リテーナ３０が仮係止位置に保持されている状態では、第２アーム部３３の抜止部３７が、キャビティ１３Ｃ，１３Ｌ，１３Ｒから外れた位置にあるため、キャビティ１３Ｃ，１３Ｌ，１３Ｒに対する端子金具２６の挿入が許容される。また、図２に示すように、第１アーム部３２の延出端の押圧面３６は、規制部１７の当接面１８に対して面一状をなし、且つ下方に隣接して並ぶように位置する。つまり、第１アーム部３２と規制部１７は、第１アーム部３２の板面に対して直角な方向である上下方向に並ぶことになる。また、第１アーム部３２の下面は、規制部１７を含む３本のリブ１６Ｃ，１６Ｌ，１６Ｒによって下から支承されているので、第１アーム部３２が第１収容空間１４から下方へ外れるように変形する虞はない。また、押込み操作部３１は、端子保持部１１の右外側面よりも外方（右方）へ突出するように位置する。
【００２４】
また、仮係止位置にあるリテーナ３０を更に左方へ押し動かすと、リテーナ３０は本係止位置に到達する。リテーナ３０が本係止位置にある状態では、押込み操作部３１が挿入口２０に嵌合して右側のキャビティ１３Ｒの右側面の開口部を塞ぐとともに、図３に示すように、第２アーム部３３の延出端（左端面）が第２収容空間１９の奥端面（左端面）に突き当たることにより、それ以上のリテーナ３０の左方への移動が規制される。また、図５に示すように、係止突部３４が係止突起１５に対して左側から係止することにより、リテーナ３０の右方への移動が規制され、この当接作用と係止作用とにより、リテーナ３０は本係止位置に保持される。また、リテーナ３０が本係止位置に保持されている状態では、各抜止部３７がキャビティ１３Ｃ，１３Ｌ，１３Ｒ内に進出し、キャビティ１３Ｃ，１３Ｌ，１３Ｒ内に挿入されている端子金具２６に係止し、この係止作用によって端子金具２６が抜止め状態に保持される。さらに、第１アーム部３２の延出端部（右端部）は、規制部１７よりも左方へ突出し、第１アーム部３２の延出端面（押圧面３６）は、規制部１７の当接面１８よりも左方であって、端子保持部１１の左外側面に対して概ね面一となるように位置する。
【００２５】
さて、キャビティ１３Ｃ，１３Ｌ，１３Ｒに挿入されている端子金具２６をメンテナンスなどのために抜き取る際には、端子金具２６の抜取りに先立って、本係止位置に保持されているリテーナ３０を仮係止位置へ戻すのであるが、このとき、治具４０が用いられる。治具４０は、作業者が指で摘むための棒状の把持部４１と、この把持部４１の先端面から把持部４１と略同軸状に突出する当接部４２とからなる。当接部４２の長さ方向（突出方向）と直角な断面形状は、治具挿入孔２１と整合する略Ｔ字形をなす。即ち、当接部４２は、第１アーム部３２の押圧面３６に対してその押圧面３６と略直角に突き当たる水平板状の押圧部４３と、この押圧部４３の下面から下方へ突出して規制部１７の当接面１８に対してその当接面１８と略直角に突き当たる突当部４４とから構成される。また、把持部４１の先端面は、治具４０の長さ方向と直角な突当面４５となっている。
【００２６】
この治具４０を用いてリテーナ３０を仮係止位置に移動させる際には、ハウジング１０の左方から当接部４２を治具挿入孔２１内に挿入する。このときの挿入方向は、ハウジング１０に対するリテーナ３０の組付方向と平行な方向である。当接部４２が差し込まれると、まず、その押圧部４３の先端面が第１アーム部３２の押圧面３６に当接する。このとき、当接部４２は、押圧部４３の下面を第１孔部２２の下面に摺動させることにより、上下方向において位置決めされるので、押圧部４３が押圧面３６に対して上下方向にずれる虞はない。
【００２７】
この状態から、治具４０に差込み方向の押圧力を付与して治具４０の差込み動作を進めると、係止突部３４が係止突起１５から外れ、リテーナ３０が右方へ押し動かされる。そして、リテーナ３０が仮係止位置に達すると、図１に示すように、治具４０の突当部４４の差込み方向先端面が規制部１７の当接面１８に突き当たり、治具４０及びリテーナ３０のそれ以上の右方への移動が規制され、リテーナ３０が仮係止位置に保持される。また、治具４０の突当面４５がハウジング１０の規制面２５に当接することによっても、治具４０とリテーナ３０のそれ以上の右方への移動が規制される。
【００２８】
リテーナ３０が移動する間は、当接部４２（押圧部４３）の上面が第１収容空間１４の上面を摺動するので、当接部４２が第１アーム部３２に対して上方へ外れる方向へ位置ずれすることはない。また、第１アーム部３２が収容されている第１収容空間１４は下方へ開放されているため、治具４０から第１アーム部３２に対してその延出方向の押圧力が作用している間、第１アーム部３２が下方へ湾曲するように座屈変形することが懸念されるのであるが、本実施形態では、第１アーム部３２の下面に沿うように第１アーム部３２の移動方向に沿って並ぶ３本のリブ１６Ｃ，１６Ｌ，１６Ｒを設けているので、第１アーム部３２の下方への湾曲変形が防止されている。また、第１アーム部３２に対して治具４０からの押圧力が作用している間、第１アーム部３２の基端部と押込み操作部３１の下端縁部とには、双方の角度を変化させるような応力が生じるのであるが、本実施形態では、外部補強部３８と内部補強部３９を形成しているので、この２つの補強部３８，３９によって変形が防止されている。
【００２９】
上述のように本実施形態においては、治具挿入孔２１からハウジング１０内に差し込んだ治具４０で第１アーム部３２を押し、本係止位置のリテーナ３０を仮係止位置側へ戻すと、リテーナ３０が仮係止位置に到達したところで、治具４０が、規制部１７に当接することによってそれ以上の差込み動作を規制される。これにより、治具４０が過剰に差し込まれることに起因して、リテーナ３０が異常変形することが防止されている。
【００３０】
また、ハウジング１０のフード部１２の外面に、治具４０がリテーナ３０を仮係止位置まで移動させたところで、治具４０の突当面４５を当接させることにより、治具４０のそれ以上の差込み動作を規制する規制面２５を形成しているので、治具４０は、ハウジング１０内の規制部１７とハウジング１０の外面の規制面２５の２カ所によって確実に、差込み動作を規制される。
【００３１】
また、リテーナ３０が仮係止位置にある状態で、第１アーム部３２の押圧面３６が、治具４０の差込み方向において、規制部１７の当接面１８よりも前方（右方）に位置し、治具４０の当接部４２が、これらの位置ずれ形態に対応して段差状に形成されている場合は、治具４０が差し込まれている途中で、治具４０の押圧部４３が規制部１７に引っ掛かり、リテーナ３０が仮係止位置に到達する前に治具４０の差込み動作が規制されてしまう虞がある。  
逆に、第１アーム部３２の押圧面３６が規制部１７の当接面１８よりも後方（左方）に位置する場合は、治具４０の突当部４４が第１アーム部３２を押してしまい、その結果、治具４０の差込み深さは正常であっても、リテーナ３０が仮係止位置を超えて過剰に押し動かされてしまう虞がある。  
その点、本実施形態では、第１アーム部３２の押圧面３６と、規制部１７の当接面１８を、治具４０の差込み方向（左右方向）において互いに同じ位置となるように設定しているので、治具４０における規制部１７との当接部４２である突当部４４が第１アーム部３２に当接したとしても、リテーナ３０を仮係止位置まで確実に移動させることができるとともに、仮係止位置を超えて過剰にリテーナ３０を移動させる虞もない。
【００３２】
また、端子金具２６が挿入されるキャビティ１３Ｒを構成する壁部の一部が、リテーナ３０（両アーム部３２，３３）の挿入口２０においてハウジング１０（端子保持部１１）の外面に開口されており、リテーナ３０が本係止位置にある状態では、キャビティ１３Ｒを構成する壁部におけるハウジング１０の外面への開口部が、押込み操作部３１によって覆い隠されるようになっている。押込み操作部３１が、キャビティ１３Ｒを構成する壁部の一部を兼ねるので、この壁部の厚さ分だけハウジング１０を小型化することが可能となっている。
【００３３】
また、治具挿入孔２１は、リテーナ３０の第１アーム部３２（ハウジング１０に係止することでリテーナ３０を本係止位置に保持する機能を有する）と対応し、且つ第２アーム部３３（端子金具２６に係止することで端子金具２６を抜止めする機能を有する）とは非対応となるように１カ所だけに設けられているので、２つの挿入孔に治具を差し込む形態のものに比べると、治具４０を治具挿入孔２１に差し込んでリテーナ３０を仮係止位置へ移動させる作業が簡単である。
【００３４】
また、治具４０は、リテーナ３０を本係止位置に保持するための係止突部３４を有する第１アーム部３２のみを押すので、第２アーム部３３のみを押す場合に比べると、治具４０からの押圧力を受ける位置から係止突部３４までの距離が比較的短い。したがって、治具４０からの押圧力を受けたときに、リテーナ４０に異常な変形を生じさせることなく、係止突部３４をハウジング１０の係止突起１５から解離させることができる。
【００３５】
＜他の実施形態＞
本発明は上記記述及び図面によって説明した実施形態に限定されるものではなく、例えば次のような実施態様も本発明の技術的範囲に含まれる。  
（１）リテーナは、押込み操作部から２片のアーム部を片持ち状に延出させた形態に限定されず、本発明は、押込み操作部からアーム部が１片だけ片持ち状に延出する形態のリテーナにも適用できる。  
（２）ハウジングの外面に規制面を形成せず、治具の差込み動作を、ハウジング内の規制部だけで行ってもよい。  
（３）治具挿入孔は、２つのアーム部と別々に対応するように、２箇所に開口させてもよい。  
（４）第１アーム部の押圧面は、アーム部の延出端面に限らず、アーム部の延出端よりも基端側（押込み操作部側）の位置に設定してもよい。  
（５）治具挿入孔は開口形状は、略Ｔ字形に限らず、方形やＩ字形など、Ｔ字形以外の形状であってもよい。
【００３６】
（６）第１アーム部における治具の押圧面と、規制部における治具の当接面は、治具の差込み方向において互いに異なる位置に設定されていてもよい。  
（７）第１アーム部と第２アーム部のうち、第２アーム部のみを治具で押すようにしてもよく、第１アーム部と第２アーム部の両方を治具で押すようにしてもよい。  
（８）押込み操作部が、端子金具が挿入されるキャビティを構成する壁部を兼ねない形態としてもよい。  
（９）上記実施形態ではリテーナを左方からハウジングに組み付けたが、本発明によれば、ハウジングとリテーナを実施形態とは左右反対の形態として、リテーナを右方からハウジングに組み付けるようにしてもよい。
【図面の簡単な説明】
【００３７】
【図１】実施形態１において治具によりリテーナを仮係止位置へ押し戻した状態をあらわす横断面図
【図２】リテーナが仮係止位置にある状態をあらわす横断面図
【図３】リテーナが本係止位置にある状態をあらわす横断面図
【図４】リテーナが仮係止位置にある状態をあらわす水平断面図
【図５】リテーナが本係止位置にある状態をあらわす水平断面図
【図６】ハウジングの側面図
【図７】リテーナの正面図
【図８】リテーナの平面図
【図９】リテーナの底面図
【図１０】リテーナの側面図
【図１１】治具の正面図
【符号の説明】
【００３８】
１０…ハウジング
１３Ｒ…キャビティ（挿入空間）
１４…第１収容空間
１７…規制部
１８…当接面
２０…挿入口
２１…治具挿入孔
２２…第１孔部
２３…第２孔部
２５…規制面
２６…端子金具
３０…リテーナ
３１…押込み操作部
３２…第１アーム部
３３…第２アーム部
３４…係止突部（係止部）
３６…押圧面
３７…抜止部
４０…治具
４２…当接部
【図１】
0004872851.tif 000002
【図２】
0004872851.tif 000003
【図３】
0004872851.tif 000004
【図４】
0004872851.tif 000005
【図５】
0004872851.tif 000006
【図６】
0004872851.tif 000007
【図７】
0004872851.tif 000008
【図８】
0004872851.tif 000009
【図９】
0004872851.tif 000010
【図１０】
0004872851.tif 000011
【図１１】
0004872851.tif 000012